(57)【特許請求の範囲】
【請求項１】
水洗式便器の便鉢部の下流側に連通する便器排水路であって、
下流側に向けて上昇し、下側面の下流端部が水平方向に延びている上昇流路と、この上昇流路の下流端部に連続し、下流側に向けて下降した下降流路とを備えており、
前記上昇流路の下側面の下流端部は、垂直方向の下方視において、左右端の少なくとも一方が左右中央よりも前記下降流路側に突出しており、かつ前記下降流路に向かうにつれて前記下降流路までの内周面の幅が周面に沿うように狭くなり、
前記上昇流路の下流端部よりも上流側の近傍であって前記上昇流路の下流側の下側面は、垂直方向の下方視において、前記上昇流路の下側面の下流端部で前記下降流路に向かうにつれて前記下降流路の周面に沿うように幅が狭くなった少なくとも一方の左右端が、左右中央に比べて緩やかな昇り傾斜であることを特徴とする便器排水路。
【請求項２】
前記上昇流路は、洗浄水の排水方向に対して直角方向の断面形状において、下流端部よりも上流側の近傍であって、下流側の下側面が中央部を上方に突出した凸面であることを特徴とする請求項１記載の便器排水路。
【請求項３】
前記下降流路は、前記上昇流路の下流端部の下側面の左右端部から斜め下方に向けて延びており、内周面に沿って内側に突出した棚部を有していることを特徴とする請求項１又は２記載の便器排水路。
【請求項４】
水洗式便器の便鉢部の下流側に連通する便器排水路であって、
下流側に向けて上昇した上昇流路と、この上昇流路と前記便鉢部とを連通した導入路とを備えており、
前記上昇流路の上側面の上流端部は、垂直方向の上方視において、左右端の少なくとも一方が左右中央よりも下流側に突出しており、
前記導入路は、洗浄水の排水方向に対して直角方向の断面形状において、前記上昇流路の上流端部よりも上流側の近傍であって、前記導入路の下流側の上側面が中央部を下方に突出した凸面であることを特徴とする便器排水路。
【請求項５】
前記上昇流路の上側面は、洗浄水の排水方向に対して直角方向の断面形状において、中央部から左右下方に向けて徐々に横幅を広くした山型であることを特徴とする請求項１乃至４のいずれか１項記載の便器排水路。
【発明の詳細な説明】
【技術分野】
【０００１】
本発明は便器排水路に関する。
【背景技術】
【０００２】
特許文献１に従来の便器排水路が開示されている。この便器排水路は、便鉢部の下流側に連通し、下流側に向けて上昇した上昇流路を備えている。この上昇流路は下流端部の下側面が略水平に形成されている。また、この便器排水路は、上昇流路の下流端部に連続し、下流側に向けて下降した下降流路を備えている。下降流路は上部に段部を設けている。この段部は、上昇流路の下流端部の下側面から垂直下方に延びた垂直面と、この垂直面の下端から水平方向に延びた水平面とを有している。
【０００３】
この便器排水路では、上昇流路の下流端部の下側面を乗り越えた洗浄水が下降流路の段部の水平面に衝突し、下降流路の上昇流路側の内壁面から剥がれるように飛散する。飛散した洗浄水は下降流路を塞ぐように水膜を形成する。水膜が下降流路を塞ぐことに起因して、便器排水路内にサイホン作用を発生させることができる。このため、この便器排水路を採用した水洗式便器は、便器洗浄の際、便器排水路内にサイホン作用を発生させ、汚物等を良好に排出することができる。
【先行技術文献】
【特許文献】
【０００４】
【特許文献１】特開平７−３２４３６７号公報
【発明の概要】
【発明が解決しようとする課題】
【０００５】
しかし、特許文献１の便器排水路では、段部が下降流路の上部に設けられているため、大流量の洗浄水が段部の水平面に勢いよく衝突しないと、飛散した洗浄水によって下降流路を塞ぐような水膜を形成することができない。このため、便器洗浄の初期段階では、便器排水路内に流入する洗浄水の流量が少ないため、段部の水平面に衝突して飛散する洗浄水によって下降流路を塞ぐことができないおそれがある。つまり、便器洗浄の初期段階に供給される洗浄水は、サイホン作用を発生させるために利用することができないおそれがある。このため、便器排水路内のサイホン作用の発生が遅くなるおそれがある。また、洗浄水の節水化のため、洗浄水の水量を少なくすると、段部の水平面に衝突する洗浄水の流量が減少し、水勢も弱まる。この場合も、段部の水平面に衝突して飛散する洗浄水が形成する水膜によって下降流路を塞ぐことができないおそれがある。さらに、下降流路の上部に段部が設けられているため、サイホン作用が発生した後に下降流路を流下する洗浄水の流れが下降流路の上流側で乱れ、洗浄水が下降流路内をスムーズに流れず、汚物等の排出を良好に行うことができないおそれがある。
【０００６】
本発明は、上記従来の実情に鑑みてなされたものであって、水洗式便器に採用することによって、少ない洗浄水で良好に便器洗浄を行うことができる便器排水路を提供することを解決すべき課題としている。
【課題を解決するための手段】
【０００７】
第１発明の便器排水路は、水洗式便器の便鉢部の下流側に連通する便器排水路であって、
下流側に向けて上昇し、下側面の下流端部が水平方向に延びている上昇流路と、この上昇流路の下流端部に連続し、下流側に向けて下降した下降流路とを備えており、
前記上昇流路の下側面の下流端部は、垂直方向の下方視において、左右端の少なくとも一方が左右中央よりも前記下降流路側に突出しおり、かつ前記下降流路に向かうにつれて前記下降流路までの内周面の幅が周面に沿うように狭くなり、
前記上昇流路の下流端部よりも上流側の近傍であって前記上昇流路の下流側の下側面は、垂直方向の下方視において、前記上昇流路の下側面の下流端部で前記下降流路に向かうにつれて前記下降流路の周面に沿うように幅が狭くなった少なくとも一方の左右端が、左右中央に比べて緩やかな昇り傾斜であることを特徴とする。
【０００８】
この便器排水路では、上昇流路の下側面の下流端部は、垂直方向の下方視において、左右端の少なくとも一方が左右中央よりも前記下降流路側に突出しており、かつ前記下降流路に向かうにつれて前記下降流路までの内周面の幅が周面に沿うように狭くなっている。このため、上昇流路の下流端部の下側面の左右端部であって、中央部に比べて下流側に突出しており、下降流路に向かうにつれて下降流路までの内周面の幅が周面に沿うように狭くなっている端部に沿って洗浄水が流れる。つまり、洗浄水は、直ぐに垂直下方に流れ落ちず、下降流路の内周面に沿った水平方向の成分を有する流れを形成することができる。洗浄水が水平方向の成分を有して下降流路の内周面に沿って流れるため、洗浄水は下降流路の内周面の全周に亘って流下する。このため、下降流路を洗浄水によって塞ぎ易くすることができる。つまり、下降流路の内周面に内側に突出した絞り部を設け、この絞り部の上方から流下した洗浄水が絞り部の上面に衝突することによって、洗浄水が飛散して水膜を形成するようにした場合、下降流路の内周面の全周に亘って洗浄水が流下するため、下降流路の内周面の全周から下降流路の中心に向かって洗浄水を飛散させることができる。このため、少ない洗浄水でも下降流路を塞ぐように水膜を形成することができ、サイホン作用を良好に発生させることができる。また、下降流路の上部（上流側）に洗浄水を飛散させる段部を設けないため、サイホン作用が発生した後、下降流路内を洗浄水がスムーズに流れ、汚物等の排出を良好に行うことができる。
【０００９】
したがって、第１発明の便器排水路を採用した水洗式便器は、少ない洗浄水で良好に便器洗浄を行うことができる。
【００１０】
前記上昇流路は、洗浄水の排水方向に対して直角方向の断面形状において、下流端部よりも上流側の近傍であって、下流側の下側面が中央部を上方に突出した凸面であり得る。この場合、上昇流路の下流側端部よりも上流側の近傍であって、下流側の下側面の左右端部は中央部に比べて緩やかな昇り傾斜にすることができる。
【００１１】
前記下降流路は、前記上昇流路の下流端部の下側面の左右端部から斜め下方に向けて延びており、内周面に沿って内側に突出した棚部を有し得る。この場合、上昇流路の下流端部の下側面の左右端部から棚部に沿って洗浄水を流すことができる。このため、便器洗浄の初期段階、つまり、便器排水路内に流入する洗浄水の流量が少ないときでも、洗浄水を下降流路の内周面の全周に沿って確実に流すことができる。よって、少ない洗浄水でも水膜を形成して下降流路を塞ぐことができ、サイホン作用を発生させて便器洗浄を良好に行うことができる。
【００１２】
第２発明の便器排水路は、水洗式便器の便鉢部の下流側に連通する便器排水路であって、
下流側に向けて上昇した上昇流路と、この上昇流路と前記便鉢部とを連通した導入路とを備えており、
前記上昇流路の上側面の上流端部は、垂直方向の上方視において、左右端の少なくとも一方が左右中央よりも下流側に突出しており、
前記導入路は、洗浄水の排水方向に対して直角方向の断面形状において、前記上昇流路の上流端部よりも上流側の近傍であって、前記導入路の下流側の上側面が中央部を下方に突出した凸面であることを特徴とする。
【００１３】
この便器排水路では、上昇流路の上側面の上流端部は、垂直方向の上方視において、左右端の少なくとも一方が左右中央よりも下流側に突出している。このため、上昇流路の上流端部の上側面の左右端部であって、中央部に比べて下流側に突出している端部に沿った洗浄水の流れを形成することができる。これにより、上昇流路の入り口で洗浄水の流れを整流することができ、上昇流路内へ洗浄水等が流れ込み易くすることができる。このため、少ない洗浄水でも汚物等の排出を良好に行うことができる。
【００１６】
この便器排水路では、上昇流路の上流端部よりも上流側の近傍であって、導入路の上側面の左右端部が中央部に比べて高い位置に形成されている。このため、導入路から上昇流路の上流端部にかけて、左右端部を通過する洗浄水等は、便鉢部から上昇流路へ流れ込む際の流れ方向の変化が少なくてすむ。よって、導入路から上昇流路の上流端部にかけて、左右端部を洗浄水等が勢いよく通過し、便鉢部から上昇流路へ洗浄水等が流れ込み易くなるため、少ない洗浄水でも汚物等の排出を良好に行うことができる。また、導入路の中央部に比べて高い位置に形成された左右端部に空気が集まる。左右端部に上方に集まった空気は、導入路内に流入する洗浄水が衝突し、拡散するため、空気が砕ける音を低減させることができる。
【００１７】
したがって、第２発明の便器排水路を採用した水洗式便器も、少ない洗浄水で良好に便器洗浄を行うことができる。
【００１８】
前記上昇流路の上側面は、洗浄水の排水方向に対して直角方向の断面形状において、中央部から左右下方に向けて徐々に横幅を広くした山型であり得る。上昇流路の上側面の近傍は洗浄水の流速が遅くなるため、この領域を山型にすることによって、その領域の流路面積を小さくして洗浄水の流速を速くし、洗浄水の淀みを防止することができる。このため、上昇流路内の洗浄水を良好に流すことができ、少ない洗浄水でも汚物等の排出を良好に行うことができる。
【図面の簡単な説明】
【００１９】
【図１】実施例１の水洗式便器の断面図である。
【図２】実施例１の水洗式便器の平面図である。
【図３】図１の矢視Ａ−Ａ断面図である。
【図４】図１の矢視Ｂ−Ｂ断面図である。
【図５】図１の矢視Ｃ−Ｃ断面図である。
【図６】図１の矢視Ｄ−Ｄ断面図である。
【図７】（Ａ）実施例１の上昇流路の断面図である。（Ｂ）図７（Ａ）の矢視Ｅ−Ｅ〜Ｉ−Ｉ断面図である。（Ｃ）図７（Ａ）の矢視Ｊ−Ｊ断面図である。
【図８】図１の矢視Ｋ−Ｋ断面図である。
【図９】図１の矢視Ｌ−Ｌ断面図である。
【図１０】図１の矢視Ｐ−Ｐ断面図である。
【図１１】図１の矢視Ｑ−Ｑ断面図である。
【図１２】図１の矢視Ｒ−Ｒ断面図である。
【図１３】図１の矢視Ｒ−Ｒの反対側から見た断面図である。
【図１４】実施例２の水洗式便器の断面図である。
【図１５】図１４の矢視Ｗ−Ｗ断面図である。
【図１６】図１４の矢視Ｘ−Ｘ断面図である。
【発明を実施するための形態】
【００２０】
第１及び第２発明の便器排水路を備えた水洗式便器を具体化した実施例１及び２について図面を参照しつつ説明する。
【００２１】
＜実施例１＞
実施例１の水洗式便器は、図１及び図２に示すように、便器本体１、便器本体１の後部上面に載置したタンク本体２、タンク本体２に貯留した洗浄水を便器本体１に吐水する分配管３、及び便器本体１の排水口４０Ａと便器本体１が設置されるトイレルームの床面に開口する図示しない排水管の流入口とを接続する接続配管４を有している。接続配管４は、排水口４０Ａの直下に排水口４０Ａから流下した洗浄水が衝突し、飛散する絞り部５を形成している。この絞り部５の上面に洗浄水が衝突して飛散することによって水膜形成領域Ｓに水膜が形成される。これによって、便器排水路内にサイホン作用を発生させることができる。
【００２２】
便器本体１は、便鉢部１０、導入路２０、上昇流路３０、及び下降流路４０を備えている。導入路２０、上昇流路３０、下降流路４０及び接続配管４内の流路が便器排水路を構成している。
【００２３】
便鉢部１０は上部内周縁にリム通水路１１を形成している。分配管３は、タンク本体２の排出口を挿入する流入口を有した流入管３Ａと、流入管３Ａの下部で分岐した第１吐水管３Ｂ及び第２吐水管３Ｃとを有している。便器洗浄を実行すると、タンク本体２に貯留した洗浄水を第１吐水管３Ｂからリム通水路１１に沿って吐水するとともに、第２吐水管３Ｃから便鉢部１０の後部に向けて吐水する。第１吐水管３Ｂからリム通水路１１に沿って吐水した洗浄水は、リム通水路１１上を流れつつ、便鉢部１０の表面に流れ落ちる。また、第１吐水管３Ｂから吐水する洗浄水の水量は第２吐水管３Ｃから吐水する洗浄水の水量よりも多いため、便鉢部１０の上方から見ると、便鉢部１０内には反時計回りに流れる旋回流ＦＬが形成される。
【００２４】
導入路２０は、図１及び図３〜図６に示すように、便鉢部１０の下端部に連続しており、管状に形成されている。導入路２０は、便鉢部１０の下端部から便器本体１の後方に向けて下方に傾斜している。つまり、導入路２０は上昇流路３０の上流端部３１へ向けて下方に傾斜している。導入路２０の下流端部と上昇流路３０の上流端部３１とは連続して形成されている。導入路２０及び上昇流路３０の上流端部３１は、洗浄水の排水方向に対して直角方向の断面形状において、左下コーナー部２０Ｌ、３１ＢＬの方が右下コーナー部２０Ｒ、３１ＢＲに比べ曲率の小さい緩やかな曲がり具合のＲ面に形成されている。これに伴い、右側面２１Ｃ、３１Ｃが直線的に立ち上がっている。
【００２５】
洗浄水は、便鉢部１０内で反時計回りに流れる旋回流ＦＬを形成して導入路２０内に流入する。この際、左下コーナー部２０Ｌが緩やかな曲がり具合のＲ面であるため洗浄水は導入路２０内にスムーズに流入する。導入路２０内に流入した洗浄水は、曲率の大きい曲がり具合がきついＲ面の右下コーナー部２０Ｒから直線的に立ち上がっている右側面２１Ｃに衝突して排水路の下流方向への流れに変化する。このように、導入路２０によって、便鉢部１０内で旋回していた洗浄水の流れを排水路の下流方向の流れに変化して、かつ下流方向の流れを加速し、整流化することができる。
【００２６】
上昇流路３０の上流端部３１の上流側近傍の導入路２０は、図４及び図５に示すように、洗浄水の排水方向に対して直角方向の断面形状において、上側面３１Ｔが中央部３１Ｍを下方に突出させた凸面に形成されている。つまり、上昇流路３０の上流端部３１の上流側近傍において、導入路２０の上側面３１Ｔの左右端部３１ＵＬ、３１ＵＲが中央部３１Ｍに比べて高い位置に形成されている。このため、導入路２０から上昇流路３０の上流端部３１にかけて、左右端部３１ＵＬ、３１ＵＲを通過する洗浄水等は、便鉢部１０から上昇流路３０へ流れ込む際の流れ方向の変化が少なくてすみ、また、洗浄水の流れを整流化することができる。よって、導入路２０から上昇流路３０の上流端部３１にかけて、上側面３１Ｔの左右端部３１ＵＬ、３１ＵＲを洗浄水等が勢いよく通過し、便鉢部１０から上昇流路３０へ洗浄水等が流れ込み易くなるため、少ない洗浄水でも汚物等の排出を良好に行うことができる。
【００２７】
また、上昇流路３０の上流端部３１の上流側近傍において、導入路２０の上側面３１Ｔの左右端部３１ＵＬ、３１ＵＲが中央部３１Ｍに比べて高い位置に形成されているため、左右端部３１ＵＬ、３１ＵＲに空気が集まる。左右端部３１ＵＬ、３１ＵＲに集まった空気は、導入路２０に流入する洗浄水が衝突し、拡散するため、空気がはじける音を低減させることができる。
【００２８】
また、上昇流路３０の上流端部３１の近傍は、断面形状が横長の略矩形である。上昇流路３０の上流端部３１を境にして、洗浄水の排水方向が下方向から上方向に変化するため、上側面３１Ｔ側に流速の速い洗浄水が流れる。上昇流路３０の上流端部３１の近傍の排水路の断面形状において、上下寸法を大きくすると、下側面３１Ｂ側の洗浄水の流速が遅くなり、下側面３１Ｂ側の近傍の整流化された洗浄水が淀んでしまうおそれがある。そこで、上昇流路３０の上流端部３１の近傍においては、上下方向の寸法を小さくして整流化された洗浄水が淀まないようにするとともに、流量を確保するために横方向の寸法を大きく形成している。このため、上昇流路３０の上流端部３１の近傍は断面形状が横長の略矩形に形成している。
【００２９】
上述したように、曲率の大きい曲がり具合のきついＲ面の右下コーナー部２０Ｒから直線的に立ち上がった右側面２１Ｃによって、導入路２０内で洗浄水の流れを排水路の下流方向に変化させ、かつ下流方向への流れを加速することによって最適化を図ることができる。
【００３０】
さらに、上昇流路３０の上流端部３１は、図６に示すように、垂直方向の上方視において、上側面３１Ｔの左右端部３１ＵＬ、３１ＵＲが中央部３１Ｍに比べて下流側（図６において左側）に延びている。つまり、上昇流路３０の上流端部３１は、垂直方向の上方視において、中央部３１Ｍが上流側に凹んだ湾曲状に形成されている。このため、上昇流路３０の上流端部３１の上側面３１Ｔの左右端部３１ＵＬ、３１ＵＲに沿って洗浄水等の流れを形成することができる。つまり、導入路２０が左右端部３１ＵＬ、３１ＵＲにおいて、下流側に延びていることになり、導入路２０に連続して洗浄水の流れを整流することができ、上昇流路３０内へ洗浄水等が流れ込み易くすることができる。このため、少ない洗浄水でも汚物等の排出を良好に行うことができる。
【００３１】
上昇流路３０は上流端部３１から便器本体１の後方（下流側）に向けて上昇している。上昇流路３０は、図１、図７（Ａ）〜（Ｃ）及び図８に示すように、下側面３３、下側面３３の左右両端から立ち上がる左右側面３４Ｌ、３４Ｒ、及び左右側面３４Ｌ、３４Ｒの上端を連結する上側面３５に囲まれて形成されている。
【００３２】
上昇流路３０は、洗浄水の排水方向に対して直角方向の断面形状において、上流端部３１より下流側において上側面３５が中央部から左右下方に向けて徐々に横幅を広くした山型に形成されている。これによって、上昇流路３０の上側面３５の近傍における洗浄水の流速が遅くなる領域において、流路面積を小さくすることによって、洗浄水の流速を速くして洗浄水の淀みを防止することができる。このため、上昇流路３０内の洗浄水を良好に流すことができ、少ない洗浄水でも汚物等の排出を良好に行うことができる。
【００３３】
また、山型に形成された上側面３５は、上流端部３１の下流側近傍において、中央部から左右下方に延びて内側に膨らんだ傾斜面に傾斜している。上流端部３１の下流側近傍では、洗浄水の流れ方向が下方向から上方向に変化した直後であるため、上側面３５の近傍において洗浄水が淀み易い。このため、この淀み易い領域の上側面３５を内側に膨らんだ傾斜面にすることによって、洗浄水の流速をさらに速くし、整流化された洗浄水の淀みを防止することができる。これによっても、上昇流路３０内の洗浄水が良好に流すことができ、少ない洗浄水でも汚物等の排出を良好に行うことができる。
【００３４】
上昇流路３０の下側面３３は下流側に向けて徐々に横幅を広げている。上昇流路３０の下側面３３の近傍では上流側より下流側において洗浄水の流速が速い。このため、上昇流路３０の下側面３０を下流端に向けて徐々に横幅を広げることによって、洗浄水の流速が速い領域の流路面積を拡大し、大流量の洗浄水が上昇流路３０を流れるようにしている。
【００３５】
また、上昇流路３０の下流端部３２の上流側近傍の下側面３３は、図８に示すように、洗浄水の排水方向に対して直角方向の断面形状において、中央部３３Ｍが上方に突出した凸面に形成されている。このため、上昇流路３０の下側面３３は、図７（Ｂ）に示すように、中間部から下流側に向けて徐々に中央部が上方に突出した凸面に形成されている。
【００３６】
また、上昇流路３０は、図９に示すように、垂直方向の下方視において、下流端部３２の下側面３３の左右端部３３Ｌ、３３Ｒが中央部に比べて下流側に延びている。このため、上昇流路３０の下流端部３２の下側面３３の左右端部３３Ｌ、３３Ｒに沿って流れた洗浄水が下流端部３２の左右端部を超えて、下降流路４０の内周面に沿った水平方向の成分を有する流れを形成する。洗浄水は、水平方向の成分を有して下降流路４０の内周面に沿って流れるため、下降流路４０の内周面の全周に亘って流下する。このため、下降流路４０の内周面の全周から絞り部５に洗浄水が流下し、絞り部５の上面に衝突して、下降流路４０の内周面の全周から下降流路４０の中心に向かって洗浄水を飛散させることができる。
【００３７】
このように、上昇流路３０は、洗浄水の排水方向に対して直角方向の断面形状において、下流端部３２の上流側近傍の下側面３３が中央部３３Ｍに比べて左右端部３３Ｌ、３３Ｒを緩やかな昇り傾斜にすることができる。また、上昇流路３０の下流端部３２の上流側近傍において、下側面３３の左右端部３３Ｌ、３３Ｒに水平面を形成しない。このため、便器洗浄が開始されると、洗浄水は上昇流路３０の下流端部３２の左右端部３３Ｌ、３３Ｒに向けて上昇流路３０を洗浄水が良好に流れ、洗浄水は下降流路４０の内周面の全周に亘って流下する。このため、便器洗浄の初期段階に、下降流路４０の内周面の全周から流下した洗浄水が接続配管４の絞り部５に衝突して飛散することによって、水膜形成領域Ｓに水膜を形成し、排水路内にサイホン作用を早期に発生させることができる。また、少ない洗浄水でも下降流路４０を塞ぐように水膜を形成することができ、サイホン作用を良好に発生させることができる。さらに、下降流路４０の上部（上流側）に洗浄水を飛散させる段部を設けないため、サイホン作用が発生した後、下降流路４０内を洗浄水がスムーズに流れ、汚物等の排出を良好に行うことができる。
【００３８】
したがって、実施例１の便器排水路を採用した水洗式便器は、少ない洗浄水で良好に便器洗浄を行うことができる。
【００３９】
下降流路４０は、図１、及び図１０〜図１３に示すように、上昇流路３０の下流側に連続して形成されている。下降流路４０は垂直下方に延びている。つまり、下降流路４０は下流側に向けて下降している。下降流路４０は下端部に排出口４０Ａを形成している。排出口４０Ａは、接続配管４の上流側の接続口に挿入され、接続配管４を介してトイレルームの床面に開口する排水管の流入口に連通することができる。
【００４０】
下降流路４０は、上昇流路３０の下流端部３２の下側面３３の左右端部３３Ｌ、３３Ｒから斜め下方に向けて延びた棚部４１を有している。この棚部４１は、下降流路４０の内周面に沿って内側に突出し、内側上方を向いた傾斜面から形成されている。棚部４１が下降流路４０の内周面に沿って内側に突出しているため、上昇流路３０の下流端部３２の下側面３３の左右端部３３Ｌ、３３Ｒを乗り越えた洗浄水が棚部４１に沿って流れ、下降流路４０の上昇流路３０から離れた方向に洗浄水を送ることができる。便器洗浄の初期段階、つまり、便器排水路内に流入する洗浄水の流量が少ないときから、洗浄水を下降流路４０の内周面の全周に沿って確実に流すことができる。棚部４１から下降流路４０内に流れ落ちた洗浄水は、接続配管４に形成した絞り部５に衝突して飛散する。これによって、少ない洗浄水でも水膜形成領域Ｓに水膜が形成され、排水路内にサイホン作用を早期に発生させることができ、便器洗浄を良好に行うことができる。
【００４１】
また、棚部４１が内側上方を向いた傾斜面からなるため、棚部４１によって下降流路４０の流路面積が小さくなるが、その変化を緩やかにすることができる。このため、棚部４１による汚物等の詰まりを防止することができ、汚物等の搬送を良好に行うことができる。
【００４２】
また、棚部４１は上昇流路３０の下流端部３２の下側面３３から下降流路４０の内周面に沿って斜め下方に延びている。このため、上昇流路３０の下流端部３２の下側面３３から棚部４１に流れる洗浄水が少なくても下降流路４０の内周面に沿って上昇流路３０とは反対側の下降流路４０の内周面まで洗浄水を送ることができる。つまり、少ない洗浄水でも下降流路４０の内周面の全周から洗浄水が流れ落ち、水膜形成領域Ｓに水膜を確実に形成することができる。よって、少ない洗浄水で早期にサイホン作用を発生させることができ、汚物等の搬送を良好に行うことができる。
【００４３】
また、棚部４１は下降流路４０の内周面に沿って、上昇流路３０の反対方向に向けて幅が徐々に細くなっている。棚部４１は、排水路内にサイホン作用が発生し、下降流路４０内を洗浄水と共に汚物等が流れる際には抵抗となる。このため、棚部４１の幅を上昇流路３０の反対方向に向けて徐々に細くすることにより、早期にサイホン作用を発生させることができるとともに、洗浄水等の流れの抵抗を減少し、汚物等の搬送を良好に行うことができる。
【００４４】
＜実施例２＞
実施例２の水洗式便器は、図１４に示すように、便器排水路の下降流路１４０の下流端に連通し、便器本体１０１の後方に向けて横方向に延びる横引き流路１４６を有している。また、この水洗式便器は、下降流路１４０の後側面１４４の外周面の中央部に垂直方向に延びて便器本体１０１の後部を補強する補強壁１５０を有している。他の構成は、実施例１と同様であり、同一の構成については同一の符号を付し詳細な説明を省略する。
【００４５】
横引き流路１４６は下降流路１４０の下流端に連続して形成されている。横引き流路１４６の下流端に設けられた排出口１４０Ａは便器本体１０１の後方に向けて開口している。排出口１４０Ａは、接続部材５の上流側の接続口に挿入され、接続部材５を介してトイレルームの壁面から引き出された排水管の流入口に連通することができる。
【００４６】
この水洗式便器は、実施例１の水洗式便器に比べ、導入路の傾斜が急激に下降しており、上昇流路の傾斜が急激に上昇している。導入路２０は、図１５に示すように、洗浄水の排水方向に対して直角方向の断面形状において、上昇流路３０の上流端部３１の上流側近傍の上側面３１Ｔが中央部３１Ｍを下方に突出させた凸面に形成されている。つまり、上昇流路３０の上流端部３１の上流側近傍において、導入路２０の上側面３１Ｔの左右端部３１ＵＬ、３１ＵＲが中央部３１Ｍに比べて高い位置に形成されている。このため、導入路２０から上昇流路３０の上流端部３１にかけて、左右端部３１ＵＬ、３１ＵＲを通過する洗浄水等は、便鉢部１０から上昇流路３０へ流れ込む際の流れ方向の変化が少なくてすみ、また、洗浄水の流れを整流化することができる。よって、挿入路２０から上昇流路３０の上流端部３１にかけて、上側面３１Ｔの左右端部３１ＵＬ、３１ＵＲを洗浄水等が勢いよく通過し、便鉢部１０から上昇流路３０へ洗浄水等が流れ込み易くなるため、少ない洗浄水でも汚物等の排出を良好に行うことができる。
【００４７】
また、上昇流路３０の上流端部３１の近傍は、断面形状が横長の略矩形である。上昇流路３０の上流端部３１を境にして、洗浄水の排水方向が下方向から上方向に変化するため、上側面３１Ｔ側に流速の速い洗浄水が流れる。上昇流路３０の上流端部３１の近傍の排水路の断面形状において、上下寸法を大きくすると、下側面３１Ｂ側の洗浄水の流速が遅くなり、下側面３１Ｂ側の近傍の整流化された洗浄水が淀んでしまうおそれがある。そこで、上昇流路３０の上流端部３１の近傍においては、上下方向の寸法を小さくして整流化された洗浄水が淀まないようにするとともに、流量を確保するために横方向の寸法を大きく形成している。このため、上昇流路３０の上流端部３１の近傍は断面形状が横長の略矩形に形成している。
【００４８】
また、上昇流路３０の上流端部３１は、図１６に示すように、垂直方向の上方視において、上側面３１Ｔの左右端部３１ＵＬ、３１ＵＲが中央部３１Ｍに比べて下流側（図１６において左側）に延びている。つまり、上昇流路３０の上流端部３１は、垂直方向の上方視において、中央部３１Ｍが上流側に凹んだ湾曲状に形成されている。このため、上昇流路３０の上流端部３１の上側面３１Ｔの左右端部３１ＵＬ、３１ＵＲに沿って洗浄水の流れを形成することができる。つまり、導入路２０が左右端部３１ＵＬ、３１ＵＲにおいて、下流側に延びていることになり、導入路２０に連続して洗浄水等の流れを整流することができ、上昇流路３０内へ洗浄水等が流れ込み易くすることができる。このため、少ない洗浄水でも汚物等の排出を良好に行うことができる。
【００４９】
したがって、実施例２の便器排水路を採用した水洗式便器も、少ない洗浄水で良好に便器洗浄を行うことができる。
【００５０】
本発明は上記記述及び図面によって説明した実施例１及び２に限定されるものではなく、例えば次のような実施例も本発明の技術的範囲に含まれる。
（１）実施例１及び２では、垂直方向の下方視において、上昇流路の下流端部の下側面の左右端部が中央部に比べて下流側に延びているが、左右少なくとも一方の端部が中央部に比べて下流側に延びていればよい。
（２）実施例１及び２では、洗浄水の排水方向に対して直角方向の断面形状において、上昇流路の下流端部よりも上流側の近傍であって、上昇流路の下流側の下側面が中央部を上方に突出した凸面に形成されているが、水平面であってもよい。
（３）実施例１及び２では、下降流路が棚部を有しているが、棚部を有していなくてもよい。
（４）実施例１及び２では、垂直方向の上方視において、上昇流路の上流端部の上側面の左右端部が中央部に比べて下流側に延びているが、左右少なくとも一方の端部が中央部に比べて下流側に延びていればよい。
（５）実施例１及び２では、上昇流路の上側面が山型であるが、山型でなくてもよい。
（６）実施例１及び２では、上昇流路を導入路の下流端部に連続して形成しているが、上昇流路を下流端部とは別体に形成して、導入路の下流端部に連結してもよい。
（７）実施例１及び２では、下降流路を上昇流路の下流側に連続して形成しているが、下降流路を上昇流路とは別体に形成して、上昇流路の下流側に連結してもよい。
（８）実施例１及び２では、便器本体の後部上面に載置したタンク本体に貯留した洗浄水を便器本体に供給する水洗式便器であるが、タンク本体を有さず、開閉弁を介して給水源から直接的に洗浄水を供給する水洗式便器であってもよい。
（９）実施例１及び２では、棚部が下降流路の内周面に沿って斜め下方に向けて延びているが、水平方向に延びていてもよい。
（１０）実施例１及び２では、便鉢部内に反時計回りに流れる旋回流を形成したが、洗浄水を時計回りに旋回させるものであってもよい。この場合、導入路の形状は実施例における形状を左右反転したものになる。
（１１）実施例１及び２では、接続配管に絞り部を形成したが、下降流路に絞り部を形成してもよい。
（１２）実施例１及び２では、水洗式便器はサイホン作用が発生するものであったが、各種洗浄方式の水洗式便器でよく、サイホン作用が発生しない水洗式便器であってもよい。
【産業上の利用可能性】
【００５１】
本発明は水洗式便器に利用可能である。
【符号の説明】
【００５２】
１０…便鉢部
３０…上昇流路
３１…（上昇流路の）上流端部
３１Ｔ…上側面
３１ＵＬ、３１ＵＲ…（上側面の）左右端部
３１Ｍ…（上側面の）中央部
３２…（上昇流路の）下流端部
３３…下側面
３３Ｌ、３３Ｒ…（下側面の）左右端部
３３Ｍ…（下側面の）中央部
３５…（上昇流路の）上側面
４０…下降流路
４１…棚部
【図１】
0005930616.tif 000002
【図２】
0005930616.tif 000003
【図３】
0005930616.tif 000004
【図４】
0005930616.tif 000005
【図５】
0005930616.tif 000006
【図６】
0005930616.tif 000007
【図７】
0005930616.tif 000008
【図８】
0005930616.tif 000009
【図９】
0005930616.tif 000010
【図１０】
0005930616.tif 000011
【図１１】
0005930616.tif 000012
【図１２】
0005930616.tif 000013
【図１３】
0005930616.tif 000014
【図１４】
0005930616.tif 000015
【図１５】
0005930616.tif 000016
【図１６】
0005930616.tif 000017